(57)【要約】【課題】レンズ付きフイルムユニットの不正規な写真フイルムの再装填を困難にする。【解決手段】写真フイルムを不正規に再装填するため、後カバーを取り外すと、後カバーに一体に設けられた位置決めピン３０と固定爪３１からストロボ装置２６が外れ、前カバー１４と本体基部１３の間にストロボ装置２６が脱落してしまう。そのため、写真フイルムを不正規に再装填するには、前カバー等の部品を取り外して正規の順番でレンズ付きフイルムユニットを組み立てなければならない。【選択図】　　　　図３
2004138693.tif 000002
【特許請求の範囲】
【請求項１】
未露光の写真フイルムが装填され撮影機構の組込まれた本体基部と、ストロボ発光を行うストロボ装置とを備え、前記本体基部の前面側と背面側を覆う前カバーと後カバーとが前記本体基部に組み付けられているレンズ付きフイルムユニットにおいて、
前記後カバーには、前記ストロボ装置の位置規制と固定を行う固定部材が設けられており、前記ストロボ装置は前記固定部材によって前記本体基部の前面側に固定されており、前記後カバーが前記本体基部から外されると前記ストロボ装置は前記固定位置から脱落することを特徴としたレンズ付きフイルムユニット。
【請求項２】
前記固定部材は、前記本体基部と前記後カバーの間にある写真フイルムの上側と下側に配置されるように、前記後カバーに設けられたことを特徴とする請求項１記載のレンズ付きフイルムユニット。
【請求項３】
未露光の写真フイルムと、撮影機構の組み込まれた本体基部と、ストロボ発光を行うストロボ装置とを備え、前記本体基部の前面側と背面側を覆う前カバーと後カバーとが前記本体基部に組み付けられるレンズ付きフイルムユニットの組み立て方法において、
前記写真フイルムを前記本体基部の後側から装填し、後ろカバーを本体基部に組み付け、この後カバーに設けられた固定部材を本体基部の前面側に突出させ、前記ストロボ装置をこの固定部材で位置決めすると共に固定させて、前記前カバーを組み付けたことを特徴とするレンズ付きフイルムユニットの組み立て方法。
【発明の詳細な説明】
【０００１】
【発明の属する技術分野】
本発明は、不正規な写真フイルムの詰替え作業を困難にするレンズ付きフイルムユニット及びその組み立て方法に関するものである。
【０００２】
【従来の技術】
リサイクルカメラとして、未露光の写真フイルムが予め装填されたレンズ付きフイルムユニットが各種販売されており、ストロボ装置を内蔵したものもある。使用済みのレンズ付きフイルムユニットは、製造メーカーによって回収され、構成部品や各ユニットごとにリユース、あるいはリサイクルされている。このため、レンズ付きフイルムユニットの本体部は機能別にユニット化されており、組立てや分解が行い易いように、本体基部に設けられた固定爪やピンなどに組付ける構造となっている。
【０００３】
撮影済みのレンズ付きフイルムユニットにおいては、写真フイルムとストロボ発光用の電源電池だけが消耗品であり、その他の外装カバーや写真撮影機構等はそのまま再利用することが可能である。そのためメーカー以外の不正業者が使用済みのレンズ付きフイルムユニットを回収し、未露光の写真フイルムを再装填して不正規に販売している。このような製造メーカー以外の不正業者による詰め替え製品は、適正な検査や部品交換が行われずに販売されるため、信頼性に乏しいという問題がある。また、詰め替え製品に発生する問題は、レンズ付きフイルムユニットそのものに対する信頼性を低くするため大変深刻な問題である。
【０００４】
【発明が解決しようとする課題】
上記のように、レンズ付きフイルムユニットは使用後に製造メーカーが回収してリサイクル、リユースすることを前提とした商品であるのにも関わらず、製造メーカー以外の不正業者が消耗品である写真フイルムと電源電池を不正規に再装填して販売している。この写真フイルムと電源電池はレンズ付きフイルムユニットの後カバーを外すことで簡単に再装填できる構造となっている。
【０００５】
本発明は上記事情を考慮してなされたもので、製造メーカーによる組立て作業やリサイクル時の検査には支障を来さずに、製造メーカー以外の不正業者による写真フイルムや電源電池の不正規な再装填を困難にするレンズ付きフイルムユニット及びその組み立て方法を提供することを目的とする。
【０００６】
【課題を解決するための手段】
上記目的を達成するために、本発明のレンズ付きフイルムユニットは、未露光の写真フイルムと撮影機構を組み込んだ本体基部と、ストロボ発光を行うストロボ装置とを備え、前記本体基部の背面側を覆うように組付けられている後カバーに、前記ストロボ装置を位置規制し固定するための固定部材が設けられており、この固定部材によって前記ストロボ装置を前記本体基部の前面側に固定させ、前記後カバーが前記本体基部から外されると前期ストロボ装置が固定位置から脱落するものである。
【０００７】
固定部材は、本体基部と後カバーの間にある写真フイルムの上側と下側に配置されるように、後カバーに設けられたものである。
【０００８】
未露光の写真フイルムと、撮影機構の組み込まれた本体基部と、ストロボ発光を行うストロボ装置とを備え、本体基部の前面側と背面側を覆う前カバーと後カバーとが本体基部に組み付けられるレンズ付きフイルムユニットの組み立て方法において、写真フイルムを本体基部の後側から装填し、後ろカバーを本体基部に組み付け、この後カバーに設けられた固定部材を本体基部の前面側に突出させ、ストロボ装置をこの固定部材で位置決めすると共に固定させて、前カバーを組み付けたものである。
【０００９】
【発明の実施の形態】
レンズ付きフイルムユニットの外観を図１に示す。レンズ付きフイルムユニット２は、予め未露光の写真フイルムが装填され、各種撮影機構が組み込まれたユニット本体３と、このユニット本体３を部分的に覆う外装ラベル４とから構成されている。
【００１０】
ユニット本体３の上面には、シャッタボタン５，カウンタ窓６，ライトガイド７が、前面にはファインダ８，撮影レンズ９，ストロボ発光部１０，スライド式の操作ボタン１１が、背面側には１コマの撮影毎に回動操作される巻上げノブ１２が、それぞれ露呈されている。
【００１１】
図２に示すように、レンズ付きフイルムユニット２は、本体基部１３と、この本体基部１３の前面及び背面側から覆うように配置される前カバー１４及び後カバー１５とから構成される。本体基部１３の左右には、カートリッジ室１６及びフイルムロール室１７とが形成されており、フイルムカートリッジ１８及び写真フイルム１９をロール状にしたフイルムロール１９ａとがそれぞれ装填される。カートリッジ室１６の上部には巻上げノブ１２が配置され、この巻上げノブ１２の下部には、フイルムカートリッジ１８のスプールに係合される軸部材が形成されている。この巻上げノブ１２を図中反時計方向に回動させることにより、撮影済の写真フイルム１９がフイルムカートリッジ１８の内部に巻き上げられる。
【００１２】
カートリッジ室１６とフイルムロール室１７との間には露光ユニット２５が設けられており、この露光ユニット２５の上部には、シャッタ機構、フイルム巻止め機構、残り撮影可能コマ数を表示するためのカウンタ機構、ファインダ等が組み付けられている。ストロボ装置２６は本体基部１３の右前側で、本体基部１３と前カバー１４に挟まれるように配置されており、後カバー１５の内側に一体に形成された位置決めピン３０と固定爪３１によって固定されている。
【００１３】
ストロボ装置２６を構成する回路基板と前カバー１４の間には、ストロボ装置の充電スイッチ２７をオン／オフさせる操作スイッチ１１が一体に成形されたスライド板３２と、このスライド板３３を上下方向に案内作用を持つ案内板３３が組合わされ回路基板に嵌合されており、操作ボタン１１は前カバー１４に設けられた開口部より露呈している。撮影時に操作ボタン１１が上方へスライド操作された際に、ユニット本体３内に組み込まれたストロボ装置２６の電源をオンにし、充電を開始させるとともに、ストロボ発光を許容する。また、操作ボタン１１が下方にスライドされている際には、ストロボ回路へのストロボ充電は行われず、充電が完了している場合でもストロボ発光が禁止される。
【００１４】
図３に示すように、回路基板２１にはストロボ発光部１０、メインコンデンサ２２、充電スイッチ２７やその他の主要な回路部品と、回路基板２１の下方でユニット本体３の長手方向に沿って備えてある電源電池２３とによって、ストロボ装置２６が形成されている。ストロボ装置２６は、本体基部１３の前面側でフイルム室１７の左側に配置されている。後カバー１５には内側に一体に形成された位置決めピン３０と固定爪３１が備えてあり、後カバー１５が本体基部１３に組付けられることによって、回路基板２１に設けられた嵌合穴に位置決めピン３０が嵌合され固定爪３１によってしっかりと固定される。
【００１５】
図４にも示すように、本体基部１３と後カバー１５の組み付け時には、フイルム室１７、フイルム通路１７ａ、カートリッジ室１６は遮光する必要性がある。そのため、後カバー１５に設けた位置決めピン３０は、フイルム通路１７ａの上側でメインコンデンサー２２の下を通過させている。また、後カバー１５の上下に設けてある固定爪３１においても同様に、遮光及び撮影動作等に影響しない位置に設けられている。
【００１６】
次に上記構成の作用について説明する。図２に示すように、レンズ付きフイルムユニット２の製造時では、本体基部１３に写真フイルムカートリッジ１８が装填される。このときに、カートリッジ１８はカートリッジ室１６に、カートリッジから引き出された写真フイルム１９はロール状にされてフイルム室１７に収納される。写真フイルムカートリッジの装填後、本体基部１３の背面に後カバー１５が組み付けられ、カートリッジ室１６，フイルム室１７の底部がそれぞれ底蓋で閉じられる。
【００１７】
ユーザによって、装填されている写真フイルムの全ての撮影コマの撮影が完了したら、巻上げノブ１２を連続的に回転操作し、全ての写真フイルム１９をカートリッジ１８内に巻き込む。そして、レンズ付きフイルムユニット２ごと現像所等に提出する。
【００１８】
現像所等では、ユニット本体３の底蓋を開放してカートリッジ室１６から撮影済の写真フイルムカートリッジを取り出す。この後、写真フイルムに現像処理を施し、現像済の写真フイルムの各撮影コマからプリント写真を作成する。写真フイルムは、カートリッジ１８に収納された状態で、プリント写真とともにユーザに返却される。
【００１９】
一方、写真フイルムカートリッジが取り出された使用済のユニット本体３は、レンズ付きフイルムユニットの製造メーカーに回収される。製造メーカーでは、回収したユニット本体３を分解する。分解して得られる各部品は、その機能、劣化度合いに応じてリサイクル，リユースされる。
【００２０】
しかし、使用済のレンズ付きフイルムユニットを製造メーカー以外の不正業者によって回収され、写真フイルムが不正規に再装填され販売されている。写真フイルムを再装填する際は、後カバー１５を外さなければならない。この時後カバー１５が外されることで、後カバー１５に設けられた固定爪３１からストロボ装置２６が外れ、本体基部１３と前カバー１４の間に脱落する。前カバー１４とストロボ装置２６は、ストロボ発光部１０の外周縁部と前カバー１４の開口部の内側の縁部とが当接しているだけなので、ストロボ装置２６の脱落の妨げになることはない。
【００２１】
ストロボ装置２６は、レンズ付きフイルムユニット２の主要な装置の一つである。したがって、ストロボ装置２６が脱落することで、不正規な写真フイルムを再装填しただけでは販売することができない。ストロボ装置２６を固定させるためには、後カバー１５だけでなく前カバー１４も取り外し、正規な手順でストロボ装置２６や写真フイルムを組付けなければならず、不正業者にとっては作業負荷が増加し作業効率も悪くなる。そのため、写真フイルムや電源電池の不正規な再装填が困難になる。
【００２２】
ここで本発明のレンズ付きフイルムユニットの組み立て方法について説明する。後カバー１５に位置決めピン３０と固定爪３１を設けてストロボ装置２６を固定したレンズ付きフイルムユニットの場合は、従来の組立工程では組立てが不可能になる。したがって、図５の（Ｂ）に示すように一部組立て順序を変更する必要がある。
【００２３】
本体基部１３にリサイクル又はリユースされ十分な検査を受けた露光ユニット２５等が組込まれる。その後、本体基部１３に設けられたカートリッジ室１６とフイルム室１７にカートリッジ１８と写真フイルム１９とが組込まれ、本体基部１３の背面を覆うように後カバー１５が組付けられる。そして、本体基部１３の前面側でストロボ装置２６は、後カバー１５に設けられた位置決めピン３０によって位置規制され固定爪３１で固定される。最後に前カバー１４が本体基部１３の前面側に組付けられレンズ付きフイルムユニット２ができあがる。
【００２４】
この図５（Ｂ）に示す組立工程では、図５（Ａ）に示す従来の組立工程の順番を変えるだけでよく、新たに設備を導入したり、多くのコストをかけることなく変更が可能である。また、従来のリサイクル工程では、前カバー１４を開けてストロボ装置２６を取り出し、ストロボ装置２６を単体で検査している。本実施例のように、後カバー１５に位置決めピン３０及び固定爪３１を備えさせ、この固定爪３１によってストロボ装置２６を固定しても、従来通りに前側からストロボ装置を取り外すことができるので、リサイクル工程には何ら支障を来すことなくリサイクルが行える。
【００２５】
【発明の効果】
以上に述べたように、本発明のレンズ付きフイルムユニットによれば、本体基部の背面側を覆うにように組付けられる後カバーに、一体に設けられた位置決めピンと固定爪によって、本体基部の前面側でストロボ装置を固定する。写真フイルムの不正規な再装填をするため、不正業者が後カバーを本体基部より外すと、ストロボ装置が前カバーと本体基部の間に脱落するものである。したがって、不正業者は前カバー等を取り外し正規な手順によってユニット本体を組み立てなければならず、不正規な再利用を困難にすることができる。また、製造メーカーは従来の組立工程及びリサイクル工程を大幅に変更することなく、コストをかけずに不正規な再利用を困難にすることができる。
【図面の簡単な説明】
【図１】レンズ付きフイルムユニットの外観斜視図である。
【図２】レンズ付きフイルムユニットの分解斜視図である。
【図３】ストロボ装置の固定方法を示す斜視図である。
【図４】ストロボ装置の固定方法を示す断面図である。
【図５】レンズ付きフイルムユニットの組立て工程の説明図である。
【符号の説明】
２　　レンズ付きフイルムユニット
１３　本体基部
１４　前カバー
１５　後カバー
２６　ストロボ装置
３０　位置決めピン
３１　固定爪
【図１】
2004138693.tif 000003
【図２】
2004138693.tif 000004
【図３】
2004138693.tif 000005
【図４】
2004138693.tif 000006
【図５】
2004138693.tif 000007